Podtech/llm-jp-corpus-v4-ja_patent huggingface dataset:
【手続補正書】
【提出日】平成27年11月18日(2015.11.18)
【手続補正１】
【補正対象書類名】特許請求の範囲
【補正対象項目名】全文
【補正方法】変更
【補正の内容】
【特許請求の範囲】
【請求項１】
内周面を規定する内壁と、外周面を規定し対向する外壁と、を有する環状溶液容器と、ここで、前記内壁及び前記外壁は共通の中心軸に沿って延びており、
前記環状溶液容器の前記内壁と熱的に連通する第１の環状冷却ジャケットと、
前記環状溶液容器の前記外壁と熱的に連通する第２の環状冷却ジャケットと、
前記第１の環状冷却ジャケット及び前記第２の環状冷却ジャケットと連通する少なくとも一つの導管と、
前記第１の環状冷却ジャケット及び前記第２の環状冷却ジャケットに冷却液体を循環させるために、前記少なくとも一つの導管内を通される冷却液体と、
前記内周面内で前記中心軸に沿って延びるチャンバと、
前記チャンバ内に位置する粒子エミッタと、
前記環状溶液容器の前記内壁と前記外壁との間に位置する、核物質の水性懸濁液と、
を備え、
前記粒子エミッタは、稼働時に、前記チャンバから径方向外側に通過する中性子を放出し、
前記核物質の水性懸濁液は、前記粒子エミッタの稼働時に前記中性子を受けるよう構成された
ことを特徴とする核反応システム。
【請求項２】
前記環状溶液容器は、低濃縮ウランを格納することを特徴とする請求項１に記載の核反応システム。
【請求項３】
前記環状溶液容器は、水と、硝酸ウラニル、硫酸ウラニル、フッ化ウラニルまたはリン酸ウラニルの少なくとも１つとの混合を格納することを特徴とする請求項２に記載の核反応システム。
【請求項４】
前記環状溶液容器に近接する前記粒子エミッタへ荷電粒子を方向付けるよう位置し、前記粒子エミッタから前記環状溶液容器に受容される中性子を生成する粒子源をさらに含むことを特徴とする請求項１に記載の核反応システム。
【請求項５】
前記チャンバおよび前記内壁の間に位置する中性子増倍原料をさらに含むことを特徴とする請求項１に記載の核反応システム。
【請求項６】
前記中性子増倍原料は、ベリリウム、劣化ウラン、および天然ウランからなる群から選択されることを特徴とする請求項５に記載の核反応システム。
【請求項７】
前記中性子増倍原料は、実質的に１．５−３．０の中性子増倍に提供されることを特徴とする請求項６に記載の核反応システム。
【請求項８】
前記チャンバおよび前記内壁の間に、前記中性子増倍器から同軸上分離して位置する中性子減速原料をさらに含むことを特徴とする請求項７に記載の核反応システム。
【請求項９】
前記環状溶液容器の同心円状外側の反射原料をさらに含むことを特徴とする請求項１に記載の核反応システム。
【請求項１０】
前記第１の環状冷却ジャケット及び前記第２の環状冷却ジャケットに送られる前記冷却液体が冷却水であることを特徴とする請求項１に記載の核反応システム。
【請求項１１】
前記粒子エミッタが、粒子源からの荷電粒子を受容するターゲット原料であることを特徴とする請求項１に記載の核反応システム。
【請求項１２】
内周面を規定する内壁と、外周面を規定し対向する外壁と、を有する環状溶液容器と、ここで、前記内壁及び前記外壁は共通の中心軸に沿って延びており、
前記環状溶液容器の前記内壁と熱的に連通する第１の環状冷却ジャケットと、
前記環状溶液容器の前記外壁と熱的に連通する第２の環状冷却ジャケットと、
前記第１の環状冷却ジャケット及び前記第２の環状冷却ジャケットと連通する少なくとも一つの導管と、
前記第１の環状冷却ジャケット及び前記第２の環状冷却ジャケットに冷却液体を循環させるために、前記少なくとも一つの導管内を通される冷却液体と、
前記環状溶液容器に近接するターゲット原料へ荷電粒子を方向付けるよう位置し、前記ターゲット原料から前記環状溶液容器に受容される中性子を生成する粒子源と、
を備え、
前記中心軸に沿った前記環状溶液容器の高さに対する、前記軸に垂直な前記環状溶液容器の径方向厚みにより規定されるアスペクト比は、実質的に０．１より大きい
ことを特徴とする医用アイソトープ生成装置。
【請求項１３】
前記アスペクト比は、０．１から０．３の間であることを特徴とする請求項１２に記載の医用アイソトープ生成装置。
【請求項１４】
前記アスペクト比は、０．１２から０．２５の間であることを特徴とする請求項１３に記載の医用アイソトープ生成装置。
【請求項１５】
前記環状溶液容器は、低濃縮ウランを格納することを特徴とする請求項１２に記載の医用アイソトープ生成装置。
【請求項１６】
前記ターゲット原料は、前記中央開口部内に中央配置されるターゲットチャンバ内に格納され、前記軸に沿って粒子を受容することを特徴とする請求項１２に記載の医用アイソトープ生成装置。
【請求項１７】
前記ターゲットチャンバおよび前記内壁の間に位置する中性子増倍原料をさらに含むことを特徴とする請求項１６に記載の医用アイソトープ生成装置。
【請求項１８】
内周面を規定する内壁と、外周面を規定し対向する外壁と、を有する環状溶液容器と、ここで、前記内壁及び前記外壁は共通の中心軸に沿って延びており、
前記環状溶液容器の前記内壁と熱的に連通する第１の環状冷却ジャケットと、
前記環状溶液容器の前記外壁と熱的に連通する第２の環状冷却ジャケットと、
前記第１の環状冷却ジャケット及び前記第２の環状冷却ジャケットと連通する少なくとも一つの導管と、
前記第１の環状冷却ジャケット及び前記第２の環状冷却ジャケットに冷却液体を循環させるために、前記少なくとも一つの導管内を通される冷却液体と、
前記環状溶液容器の前記内壁と前記外壁との間に位置する、核物質の水性懸濁液と、
を備え、
前記核物質の水性懸濁液は、粒子エミッタの稼働時に中性子を受けるよう構成され、
前記核物質は、溶液１リットル当たり低濃縮ウラン１０から４５０グラムの間の濃度を有する低濃縮ウランである
ことを特徴とする医用アイソトープ生成装置。
【請求項１９】
前記環状溶液容器に近接するターゲット原料へ荷電粒子を方向付けるよう位置し、前記ターゲット原料から前記環状溶液容器に受容される中性子を生成する粒子源をさらに備え、
前記軸に沿った前記環状溶液容器の高さに対する、前記中心軸に垂直な前記環状溶液容器の径方向厚みにより規定されるアスペクト比は、実質的に０．１より大きい
ことを特徴とする請求項１８に記載の医用アイソトープ生成装置。
【手続補正書】
【提出日】平成27年12月11日(2015.12.11)
【手続補正１】
【補正対象書類名】明細書
【補正対象項目名】０１５０
【補正方法】変更
【補正の内容】
【０１５０】
この開示は、趣旨及び範囲から逸脱することなくさまざまな修正及び変更が可能である。したがって、本開示は、上記の実施形態に限定されないが、以下の請求項及びすべてのその等価物に詳述する制限によって規制される。本開示は、本明細書に具体的に開示されていない要素を欠いても適宜実施され得る。本発明の実施態様の一部を以下の項目［１］−［１５］に記載する。
[１]
物品中の第１の構成要素の存在又は位置を検出する方法であって、
前記物品を入射光で照射することであって、前記第１の構成要素が前記入射光に対して既定の応答を有する、ことと、
前記被照射物品から受ける光を検出することと、
前記被照射物品から受ける前記光における前記第１の構成要素の前記既定の応答を識別して、前記第１の構成要素の存在又は位置を検出することと、
を含み、
前記第１の構成要素が半結晶性ポリオレフィン及びβ−核形成剤を含むミクロ多孔性フィルムを含む、方法。
[２]
前記ミクロ多孔性フィルムが、構造化フィルムである、項目１に記載の方法。
[３]
前記ミクロ多孔性フィルムが、ミクロ多孔性フィルム裏材及び前記ミクロ多孔性フィルム裏材に付着した直立柱を含む、項目２に記載の方法。
[４]
前記第１の構成要素が、機械的締着パッチである、項目３に記載の方法。
[５]
前記入射光及び前記被照射物品から受ける前記光が、赤外光を含み、前記第１の構成要素が、基本的に赤外線ブロッキング剤を含まない、項目１〜４のいずれか一項に記載の方法。
[６]
前記第１の構成要素が、基本的に、二酸化チタン、硫酸バリウム、酸化マグネシウム、炭酸カルシウム、ポリテトラフルオロエチレンミクロビーズ及びポリオレフィンミクロビーズからなる群から選択される赤外線ブロッキング剤を含まない、項目５に記載の方法。
[７]
前記第１の構成要素が、２５０ナノメートル〜２２５０ナノメートルの波長範囲において、６５パーセントまでの透過率パーセントを有し、及び／又は前記第１の構成要素が、４０までのグレースケール値を有する、項目１〜４のいずれか一項に記載の方法。
[８]
前記半結晶性ポリオレフィンが、プロピレンホモポリマー、プロピレンと他のオレフィンとのコポリマー、又はポリプロピレンホモポリマーと異なるポリマーとのブレンド、のうちの少なくとも１つを含む、項目１〜４のいずれか一項に記載の方法。
[９]
前記物品が物品の移動集団の中にある、項目１〜４のいずれか一項に記載の方法。
[１０]
前記物品の移動集団の中の少なくとも幾つかの前記物品が相互連結している、項目９に記載の方法。
[１１]
前記物品が使い捨て吸収性物品である、項目１〜４のいずれか一項に記載の方法。
[１２]
検出することが、前記被照射物品から受ける前記光から画像を作成することを含み、識別することが、前記画像中の前記第１の構成要素の前記既定の応答を識別して、前記第１の構成要素の存在又は位置を検出することを含む、項目１〜４のいずれか一項に記載の方法。
[１３]
前記第１の構成要素が前記物品中に適切に配置されているかどうかを決定するために、前記第１の構成要素の前記検出された位置を参照データと比較することを更に含む、項目１〜４のいずれか一項に記載の方法。
[１４]
前記入射光が放射線源から発生され、前記被照射物品から受ける前記光が前記物品を通って検出器に送られる、項目１〜４のいずれか一項に記載の方法。
[１５]
物品において使用するための機械的締着構成要素を調製する方法であって、
ポリプロピレン及びβ−核形成剤を含むポリマー組成物の融解物を工具の存在下で押し出し、直立締着要素を持つフィルム裏材を提供することと、
前記フィルム裏材の少なくとも一部を、β−球晶の形成に十分な温度に冷却することと、
前記β−球晶を含有する前記フィルム裏材を延伸し、前記物品が光源及び光検出器を含む検査システムにかけられた場合に、前記機械的締着構成要素が検出されるのに十分な多孔性を持つミクロ多孔性フィルム裏材を提供することと、
を含む方法。
【手続補正２】
【補正対象書類名】特許請求の範囲
【補正対象項目名】全文
【補正方法】変更
【補正の内容】
【特許請求の範囲】
【請求項１】
物品中の第１の構成要素の存在又は位置を検出する方法であって、
前記物品を入射光で照射することであって、前記第１の構成要素が前記入射光に対して既定の応答を有する、ことと、
前記被照射物品から受ける光を検出することと、
前記被照射物品から受ける前記光における前記第１の構成要素の前記既定の応答を識別して、前記第１の構成要素の存在又は位置を検出することと、
を含み、
前記第１の構成要素が半結晶性ポリオレフィン及びβ−核形成剤を含むミクロ多孔性フィルムを含む、方法。
【請求項２】
前記ミクロ多孔性フィルムが、構造化フィルムである、又は、前記ミクロ多孔性フィルムが、ミクロ多孔性フィルム裏材及び前記ミクロ多孔性フィルム裏材に付着した直立柱を含む、請求項１に記載の方法。
【請求項３】
前記入射光及び前記被照射物品から受ける前記光が、赤外光を含み、前記第１の構成要素が、基本的に二酸化チタン、硫酸バリウム、酸化マグネシウム、炭酸カルシウム、ポリテトラフルオロエチレンミクロビーズ及びポリオレフィンミクロビーズからなる群から選択される赤外線ブロッキング剤を含まない、請求項１〜２のいずれか一項に記載の方法。
【請求項４】
物品において使用するための機械的締着構成要素を調製する方法であって、
ポリプロピレン及びβ−核形成剤を含むポリマー組成物の融解物を工具の存在下で押し出し、直立締着要素を持つフィルム裏材を提供することと、
前記フィルム裏材の少なくとも一部を、β−球晶の形成に十分な温度に冷却することと、
前記β−球晶を含有する前記フィルム裏材を延伸し、前記物品が光源及び光検出器を含む検査システムにかけられた場合に、前記機械的締着構成要素が検出されるのに十分な多孔性を持つミクロ多孔性フィルム裏材を提供することと、
を含む方法。
【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
卵巣癌、皮膚癌、乳癌、膵臓癌、小細胞肺癌、扁平上皮細胞肺癌、子宮内膜癌、肛門癌、甲状腺癌、胸腺癌、未知の原発性癌腫、泌尿生殖器癌または婦人科癌を有する患者をCD30を指向する療法に適格であると同定する方法であって、患者から採取したサンプル中のCD30発現のレベルを決定するステップならびに対照と比較したサンプル中のCD30の発現に基づいて患者をCD30を指向する療法に適格であると同定するステップを含むものである前記方法。
【請求項２】
患者から得られた組織サンプルを固定するステップ、固定した組織サンプルを抗CD30抗体と接触させるステップ、および抗体の固定した組織サンプルとの結合を検出してCD30がサンプル中に発現されるかどうかを決定するステップを含むものである、請求項１に記載の方法。
【請求項３】
サンプルが組織サンプルである、請求項１に記載の方法。
【請求項４】
組織サンプルがCD30を発現し、かつCD30の発現を検出可能なCD30を発現するサンプル中の腫瘍細胞のパーセントとして決定する、請求項１〜３のいずれか1項に記載の方法。
【請求項５】
さらに、患者に対する治療プロトコルを決定するステップを含み、ここで検出可能なCD30の発現は治療プロトコルがCD30を指向する療法による治療を含む表示であるとする、請求項１〜４のいずれか1項に記載の方法。
【請求項６】
治療プロトコルが、抗CD30抗体または抗CD30抗体薬物複合体の有効レジメンを含む、請求項５に記載の方法。
【請求項７】
BerH2抗体を検出抗体として用いるとサンプル中の悪性または非定形的細胞の少なくとも50％がCD30を発現する、請求項１〜６のいずれか1項に記載の方法。
【請求項８】
患者から得た腫瘍サンプル中の細胞のCD30発現を決定するステップを含む、膵臓、卵巣、肺、子宮内膜、乳房、甲状腺、肛門、胸腺、または皮膚、または未知の原発性の癌を有する患者を診断、予後判定、治療プロトコルの決定、または治療モニタリングする方法であって、検出可能なCD30発現の存在を患者の診断、予後判定、治療プロトコルの決定または治療モニタリングに用いる前記方法。
【請求項９】
膵臓、卵巣、肺、乳房、甲状腺、肛門、胸腺、子宮内膜、または皮膚の癌またはCD30の検出可能な発現を有する未知の原発性癌腫を治療するためのCD30を指向する療法を含む医薬組成物であって、CD30を指向する療法が抗体または抗体薬物複合体である前記医薬組成物。
【請求項１０】
CD30を指向する療法がエフェクター機能を有する抗体である、請求項９に記載の医薬組成物。
【請求項１１】
CD30を指向する療法が抗体薬物複合体である、請求項９に記載の医薬組成物。
【請求項１２】
抗体薬物複合体がブレンツキシマブベドチンである、請求項１１に記載の医薬組成物。
【請求項１３】
CD30発現を、検出可能なCD30を発現するサンプル中の腫瘍細胞のパーセントとして決定してもよい、請求項９〜１２のいずれか1項に記載の医薬組成物。
【請求項１４】
BerH2抗体を検出抗体として用いると、サンプル中の悪性または非定形的細胞の少なくとも50％がCD30を発現する、請求項９〜１３のいずれか1項に記載の医薬組成物。
【請求項１５】
癌がCD30の検出可能な発現を有する婦人科癌、泌尿生殖器癌、ライディッヒ細胞腫瘍またはセルトリ細胞腫瘍であって、CD30を指向する療法が抗体または抗体薬物複合体である、請求項９に記載の医薬組成物。
【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
自動のヒューマン・インタラクティブ・プルーフを提供するためにコンピュータによって実行される方法であって、
複数のテキストセンテンス又は複数の単語からのテキストの文字列を選択するステップと、
テキスト音声化エンジンを適用して前記選択されたテキストの文字列の音声を生成し、未知のユーザが人間であるかボットであるかの識別のためのオーディオチャレンジを作成するステップと
を含む、方法。
【請求項２】
前記未知のユーザから前記オーディオチャレンジに対するレスポンスを受信するステップと、
前記未知のユーザからの前記オーディオチャレンジに対する前記レスポンスを検証して、前記未知のユーザが人間であるかボットであるかを判断するステップと
を更に含む、請求項１に記載の方法。
【請求項３】
前記受信したレスポンスは前記未知のユーザによって読み上げられたものであり、音声認識を適用して前記レスポンスを認識し、前記レスポンスを正しい回答と比較する、請求項２に記載の方法。
【請求項４】
前記選択されたテキストの前記音声の生成中又は生成後に、１つ又は複数の歪みを適用するステップを更に含む、請求項１に記載の方法。
【請求項５】
前記１つ又は複数の歪みは、前記オーディオチャレンジを作成するのに前記選択されたテキストの前記音声の生成中にスペクトル周波数ワープを適用することを含む、請求項４に記載の方法。
【請求項６】
前記１つ又は複数の歪みは、
前記オーディオチャレンジを作成するのに前記選択されたテキストの前記音声の生成中に発音可能なサウンドの時間期間を調整することと、
前記オーディオチャレンジを作成するのに前記選択されたテキストの前記音声の生成中に読み上げられた単語の間の時間期間を調整することと、
のうちの少なくとも１つを更に含む、請求項４に記載の方法。
【請求項７】
前記１つ又は複数の歪みは、前記オーディオチャレンジを作成するのに前記選択されたテキストの前記音声のボリュームを変更することを更に含む、請求項４に記載の方法。
【請求項８】
正しい回答に到達するのに前記オーディオチャレンジの意味の理解が必要とされる、請求項２に記載の方法。
【請求項９】
自動化されたヒューマン・インタラクティブ・プルーフのためのオーディオベースのチャレンジを生成するシステムであって、
汎用コンピューティングデバイスと、
前記汎用コンピューティングデバイスによって実行可能なコンピュータプログラムでと、
を備え、前記コンピュータプログラムは、前記コンピューティングデバイスによって実行されると、該コンピューティングデバイスに、
チャレンジ文字列として使用されるテキストの文字列を選択するステップと、
前記選択されたテキストの文字列がテキスト音声化エンジンによって読み取られる時にゆがめられるように、１つ又は複数の歪みを用いて前記選択されたテキストの文字列の音声モデルのパラメータをゆがめるステップと、
前記ゆがめられたパラメータ及び音声モデルを使用して、テキスト音声化シンセサイザを用いて前記選択されたテキストの文字列を読み取り、未知のコンピュータユーザに対するオーディオチャレンジを作成するステップと、
前記オーディオチャレンジへの回答である前記未知のコンピュータユーザからのレスポンスが、予想レスポンスと合致するかどうかを自動的に判断するステップと
を含む方法を実行させる、システム。
【請求項１０】
前記未知のコンピュータユーザは、前記予想レスポンスを提供するために、前記選択されたテキストの文字列の意味の理解を有する必要がある、請求項９に記載のシステム。
【手続補正２】
【補正対象書類名】明細書
【補正対象項目名】００３５
【補正方法】変更
【補正の内容】
【００３５】
ブロック４１０に示されるように、次のステップでは、オーディオチャレンジを、識別のために未知のパーティに提供する。未知のパーティは次いで、ブロック４１２に示されるように、適切なレスポンスをタイプするか読み上げることのいずれかによって、意味理解を必要とするセンテンスに応答する必要がある。読み上げられたレスポンスは、音声認識技術を適用することによってテキストレスポンスに変換され得る。レスポンスは、そのレスポンスがどのように発音されるかを表す音の文字列に変換され得る。正規化をレスポンスに適用して、変形をそのレスポンスを表す標準の方法で置換してもよく、重要でない文字又は単語を除去してもよい。ブロック４１４に示されるように、ユーザのレスポンスは次いでオーディオチャレンジの予想レスポンスと比較されて、これらのレスポンスが合致するかどうか判断される。ユーザのレスポンスが予想レスポンスと合致すると判断された場合にのみ、未知のユーザは、ブロック４１６で示されるように人間であると見なされる。そうでない場合、未知のユーザは、ブロック４１８に示されるようにボットであると見なされる。一実施形態において、２つのレスポンスは、これらの誤差が許容範囲内である場合、相互に合致すると判断される。例えば編集距離やその変形等、異なる技術を使用して２つのレスポンスの誤差を計算することができる。図３に示される例示的な処理について説明された技術の多くを、図４で説明される例示的な処理に適用してもよい。
【手続補正書】
【提出日】平成27年12月4日(2015.12.4)
【手続補正１】
【補正対象書類名】明細書
【補正対象項目名】００６３
【補正方法】変更
【補正の内容】
【００６３】
図８と図１０によれば、第１のスイッチトランジスタＴ１はゲート極に入力されるスキャン信号Ｖｓｃａｎが低レベルであることによりオフになり、駆動トランジスタＤＴＦＴのゲート極と第１のスイッチトランジスタＴ１のソース極、即ちデータラインＶｄａｔａの入力端とを隔離させる。こうして駆動トランジスタＤＴＦＴが発光デバイスＯＬＥＤに対する駆動は第１のスイッチトランジスタＴ１のソース極の信号変化によって影響されなくなる。同時に、第４のスイッチトランジスタＴ４は入力されるスキャン信号Ｖｓｃａｎが低レベルによりオフになり、こうして発行デバイスＯＬＥＤはショートされず、これにより発光デバイスＯＬＥＤの発光を駆動することができる。
【手続補正書】
【提出日】平成28年1月4日(2016.1.4)
【手続補正１】
【補正対象書類名】特許請求の範囲
【補正対象項目名】全文
【補正方法】変更
【補正の内容】
【特許請求の範囲】
【請求項１】
ターゲットユーザ機器(UE)のワイヤレス通信の方法であって、
前記ターゲットUEの表現をサービングエンティティに伝達するステップであって、前記表現は、他のUEが通信のために前記ターゲットUEを発見することを可能にするために前記ターゲットUEによってブロードキャストされる文字のセットを備えるステップと、
イニシエータUEと通信するために前記サービングエンティティから開始されたページを受信するステップと、
前記ページに基づいて前記イニシエータUEと通信するステップとを含む、方法。
【請求項２】
前記サービングエンティティが、ネットワークエンティティ、発展型ノードB(eNB)、またはモビリティ管理エンティティ(MME)のうちの1つを備える、請求項1に記載の方法。
【請求項３】
タイムフレームを伝達するステップをさらに含み、前記タイムフレームの間に前記ターゲットUEが通信のためにページングされることが可能である、請求項1に記載の方法。
【請求項４】
前記受信されたページが、前記表現から導出されたページング識別子(PGID)、Globally Unique Temporary Identifier(GUTI)、または前記GUTIのサブセットのうちの少なくとも1つを含み、直接ページング無線ネットワーク一時的識別子(DP-RNTI)を用いてスクランブルされ、前記受信されたページが、前記イニシエータUEに関連付けられた識別子を含む、請求項1に記載の方法。
【請求項５】
前記イニシエータUEと安全に通信するためのキーを前記サービングエンティティから受信するステップをさらに含む、請求項1に記載の方法。
【請求項６】
サービングエンティティの通信の方法であって、
ターゲットユーザ機器(UE)から第1の表現を受信するステップであって、前記表現は、他のUEが通信のために前記ターゲットUEを発見することを可能にするために前記ターゲットUEによってブロードキャストされる文字のセットを備えるステップと、
イニシエータUEから第2の表現を受信するステップと、
前記第2の表現が前記第1の表現に適合すると判断すると、前記ターゲットUEにページを送信するステップとを含む、方法。
【請求項７】
前記サービングエンティティが、発展型ノードB(eNB)、またはモビリティ管理エンティティ(MME)のうちの1つを備える、請求項6に記載の方法。
【請求項８】
タイムフレームを受信するステップをさらに含み、前記タイムフレームの間に前記ターゲットUEが通信のためにページングされることが可能であり、前記ページは、現在時刻が前記受信されたタイムフレーム内にあると判断するときのみ送信される、請求項6に記載の方法。
【請求項９】
前記第1の表現から導出されたページング識別子(PGID)、Globally Unique Temporary Identifier(GUTI)、または前記GUTIのサブセットのうちの少なくとも1つを含むアイデンティティ/識別子を決定するステップをさらに含み、前記ページが、前記決定されたアイデンティティ/識別子を含み、直接ページング無線ネットワーク一時的識別子(DP-RNTI)を用いてスクランブルされ、前記ページが、前記イニシエータUEに関連付けられた識別子を含む、請求項6に記載の方法。
【請求項１０】
前記ターゲットUEおよび前記イニシエータUEが一緒に安全に通信することを可能にするためのキーを前記ターゲットUEおよび前記イニシエータUEに送信するステップをさらに含む、請求項6に記載の方法。
【請求項１１】
ワイヤレス通信のためのターゲットユーザ機器(UE)であって、
前記ターゲットUEの表現をサービングエンティティに伝達するための手段であって、前記表現は、他のUEが通信のために前記ターゲットUEを発見することを可能にするために前記ターゲットUEによってブロードキャストされる文字のセットを備える手段と、
イニシエータUEと通信するために前記サービングエンティティから開始されたページを受信するための手段とを含み、
通信するための前記手段が、前記ページに基づいて前記イニシエータUEと通信するようにさらに構成される、ターゲットUE。
【請求項１２】
前記サービングエンティティが、発展型ノードB(eNB)、またはモビリティ管理エンティティ(MME)のうちの1つを備える、請求項11に記載のターゲットUE。
【請求項１３】
タイムフレームを通信するための手段をさらに含み、前記タイムフレームの間に前記ターゲットUEが通信のためにページングされることが可能である、請求項11に記載のターゲットUE。
【請求項１４】
ターゲットユーザ機器(UE)から第1の表現を受信するための手段であって、前記表現は、他のUEが通信のために前記ターゲットUEを発見することを可能にするために前記ターゲットUEによってブロードキャストされる文字のセットを備える手段と、
イニシエータUEから第2の表現を受信するための手段と、
前記第2の表現が前記第1の表現に適合すると判断すると、前記ターゲットUEにページを送信するための手段とを含む、サービングエンティティ。
【請求項１５】
コンピュータ上で実行されたとき、請求項1〜10のいずれか一項に記載の方法を実行するためのコードを備えるコンピュータプログラム。
【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
癌細胞の成長を阻害するための単離又は精製されたペプチドであって、アミノ酸配列ＲｘＫｘＫｘｘｘｘＲ（配列番号５）を含み（式中、Ｋ及びＲはそれぞれリジン及びアルギニンアミノ酸残基であり、各ｘは、独立して、アラニン（Ａ）、バリン（Ｖ）、及びセリン（Ｓ）からなる群から選択されるアミノ酸である）、且つ１０〜４０アミノ酸の長さを有するペプチド。
【請求項２】
各ｘアミノ酸が、独立してアラニン（Ａ）又はバリン（Ｖ）である、請求項１に記載のペプチド。
【請求項３】
各ｘアミノ酸がアラニン（Ａ）である、請求項１に記載のペプチド。
【請求項４】
各ｘアミノ酸がバリン（Ｖ）である、請求項１に記載のペプチド。
【請求項５】
アミノ酸配列ＲＳＫＡＫＮＰＬＹＲ（配列番号２）と５０％の配列同一性を有する請求項１又は２に記載のペプチド。
【請求項６】
前記アミノ酸配列ＲＳＫＡＫＮＰＬＹＲ（配列番号２）と４０％の配列同一性を有する請求項１又は２に記載のペプチド。
【請求項７】
アミノ酸配列ＲｘＫｘＫｘｘｘｘＲ（配列番号５）からなる、請求項１〜６のいずれか一項に記載のペプチド。
【請求項８】
１０〜２５アミノ酸の長さを有する、請求項１〜６のいずれか一項に記載のペプチド。
【請求項９】
ｃ−Ｓｒｃ及びＡｋｔ非特異的セリン／スレオニンプロテインキナーゼからなる群から選択されるキナーゼを阻害する、請求項１〜８のいずれか一項に記載のペプチド。
【請求項１０】
癌細胞の成長及び／又は増殖を阻害する薬剤であって、前記癌細胞の外側細胞膜を越えて前記細胞の細胞質内に入る前記ペプチドの通過を促進するための促進部分とカップリングされた請求項１〜９のいずれか一項に記載のペプチドを含む薬剤。
【請求項１１】
キメラペプチドである、請求項１０に記載の薬剤。
【請求項１２】
前記ペプチド又は薬剤を発現させるための、請求項１〜９のいずれか一項に記載のペプチド又は請求項１０又は１１に記載の薬剤をコードする単離核酸。
【請求項１３】
細胞において前記ペプチドを発現させるための、請求項１〜９のいずれか一項に記載のペプチドをコードする核酸インサートを含む発現ベクター。
【請求項１４】
請求項１〜９のいずれか一項に記載のペプチド、請求項１０又は１１に記載の薬剤、又は請求項１３に記載の発現ベクターを、薬学的に許容可能な担体又は賦形剤と共に含む医薬組成物。
【請求項１５】
前記ペプチドが負荷された細菌由来のミニ細胞を含む、請求項１４に記載の医薬組成物。
【請求項１６】
前記発現ベクターが負荷された細菌由来のミニ細胞を含む、請求項１４に記載の医薬組成物。
【請求項１７】
細胞における少なくとも１つのプロテインキナーゼの活性の阻害における使用のための、請求項１〜９のいずれか一項に記載のペプチド、請求項１０又は１１に記載の薬剤、または、前記ペプチドをコードする核酸。
【請求項１８】
前記キナーゼが、ｃ−Ｓｒｃ及びＡｋｔ非特異的セリン／スレオニンプロテインキナーゼファミリーの少なくとも１つのキナーゼからなる群から選択される、請求項１７に記載のペプチド、薬剤、または核酸。
【請求項１９】
前記ペプチドが、Ａｋｔ２及びＡｋｔ３の少なくとも一方の活性を阻害する、請求項１８に記載のペプチド、薬剤、または核酸。
【請求項２０】
哺乳動物における癌の予防又は治療に使用される、請求項１〜９のいずれか一項に記載のペプチド、請求項１０又は１１に記載の薬剤、又は前記ペプチドをコードする核酸。
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
複数個のサブセルで構成される多重セルをサポートする無線通信システムにおけるデータを送信する方法であって、
前記複数個のサブセルに対して、それぞれ、少なくとも一つの仮想送信ポートを接続するステップと、
少なくとも２個のサブセルに関連するチャネル状態と端末に関連するチャネル状態に基づいて前記端末に対する送信モードを確認するステップと、
前記確認された送信モードに基づいて、前記少なくとも一つの仮想送信ポートを通じて前記端末にデータを送信するステップとを含み、
前記送信モードは、前記少なくとも２個のサブセルが前記端末に送信を実行する第１の送信モードと各サブセルが個別的に送信を実行する第２の送信モードを含むことを特徴とするデータ送信方法。
【請求項２】
前記少なくとも一つの仮想送信ポートを通じて送信されるデータは、
送信のために入力されたデータに、プリコーディングのためのプリコーディングマトリックスと仮想送信ポート接続のための特定マトリックスが乗算された信号であることを特徴とする請求項１に記載のデータ送信方法。
【請求項３】
前記特定マトリックスは、前記サブセル別データと共に伝送される参照信号が各仮想送信ポートで同一な出力で混合される条件を満足することを特徴とする請求項２に記載のデータ送信方法。
【請求項４】
前記特定マトリックスは、前記端末が各サブセルから受信する参照信号の和が前記仮想送信ポートを利用しない既存のシステムで各サブセルから受信する参照信号の和と同一な条件を満足することを特徴とする請求項２に記載のデータ送信方法。
【請求項５】
各サブセルは、他のサブセルと異なる仮想送信ポートに接続されることを特徴とする請求項１に記載のデータ送信方法。
【請求項６】
各サブセルは、他のサブセルと同一な仮想送信ポートと接続されることを特徴とする請求項１に記載のデータ送信方法。
【請求項７】
前記端末の前記第１の送信モードは、前記端末が前記少なくとも２個のサブセルのうちサービングサブセルから受信した信号の信号強度と隣接サブセルから受信した信号の信号強度との間の差がしきい値以下である隣接サブセルが存在する場合、前記サービングサブセルと前記隣接サブセルが同一な周波数リソースを利用して前記端末にサブセル別データ送信を実行する協力モードを含むことを特徴とする請求項１に記載のデータ送信方法。
【請求項８】
複数個のサブセルで構成される多重セルをサポートする無線通信システムにおけるデータを送信する基地局であって、
複数のアンテナを備えて端末に無線ネットワークを通じてサブセル別データを送信する送信部と、
前記複数個のサブセルに対して、それぞれ、少なくとも一つの仮想送信ポートを接続し、少なくとも２個のサブセルに関連するチャネル状態と端末に関連するチャネル状態に基づいて前記端末に対する送信モードを確認し、前記確認された送信モードに基づいて前記少なくとも一つの仮想送信ポートを通じて前記端末にデータを送信する動作を制御する制御部とを含み、
前記送信モードは、前記少なくとも２個のサブセルが前記端末に送信を実行する第１の送信モードと各サブセルが個別的に送信を実行する第２の送信モードを含むことを特徴とする基地局。
【請求項９】
前記少なくとも一つの仮想送信ポートを通じて送信されるデータは、
送信のために入力されたデータにプリコーディングのためのプリコーディングマトリックスと仮想送信ポート接続のための特定マトリックスが乗算された信号であることを特徴とする請求項８に記載の基地局。
【請求項１０】
前記特定マトリックスは、前記サブセル別データと共に伝送される参照信号が各仮想送信ポートから同一な出力で混合される条件を満足することを特徴とする請求項９に記載の基地局。
【請求項１１】
前記特定マトリックスは、前記端末が各サブセルから受信する参照信号の和が前記仮想送信ポートを利用しない既存のシステムで各サブセルから受信する参照信号の和と同一な条件を満足することを特徴とする請求項９に記載の基地局。
【請求項１２】
各サブセルは、他のサブセルと異なる仮想送信ポートに接続されることを特徴とする請求項８に記載の基地局。
【請求項１３】
各サブセルは、他のサブセルと同一な仮想送信ポートと接続されることを特徴とする請求項８に記載の基地局。
【請求項１４】
前記端末の前記第１の送信モードは、前記端末が前記少なくとも２個のサブセルのうちサービングサブセルから受信した信号の信号強度と隣接サブセルから受信した信号の信号強度との間の差がしきい値以下である隣接サブセルが存在する場合、前記サービングサブセルと前記隣接サブセルが同一な周波数リソースを利用して前記端末にサブセル別データ送信を実行する協力モードを含むことを特徴とする請求項８に記載の基地局。
【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
無線モバイル装置であって、
オペレーティングシステム回路を含むホストプロセッサ回路要素と、
前記ホストプロセッサ回路要素に結合されるアプリケーションプロセッシング回路モジュールと、
前記アプリケーションプロセッシング回路モジュールに結合されるネットワークアプリケーション回路モジュールと、
前記アプリケーションプロセッシング回路モジュールに結合されるラッパー回路モジュールと、
前記ラッパー回路モジュールと前記アプリケーションプロセッシング回路モジュールとに結合されるホストネットワークスタック回路要素と、
受信出力と送信入力とを有する物理リンク回路モジュールと、
ネットワークアプリケーションプロキシ回路モジュールと、
を含み、
前記ネットワークアプリケーションプロキシ回路モジュールが、
前記受信出力に結合される受信入力と、前記ホストネットワークスタック回路要素に結合される第１の出力と、第２の出力とを有する受信回路モジュールと、
前記ホストネットワークスタック回路要素に結合される第１の入力と、第２の入力と、前記送信入力に結合される送信出力とを有する送信回路モジュールと、
前記ホストプロセッサ回路要素から分離され、前記第２の出力に結合される受信入力と前記第２の入力に結合される送信出力とを有し、前記ラッパー回路モジュールに結合される、交換シーケンス発生器回路要素と、
を含む、装置。
【請求項２】
請求項１に記載の装置であって、
前記回路モジュールが、インスタントメッセージングのための回路モジュールを含む、装置。
【請求項３】
請求項１に記載の装置であって、
前記回路モジュールが、ＶＯＩＰのための回路モジュールを含む、装置。
【請求項４】
請求項１に記載の装置であって、
前記受信回路モジュールが受信フィルタ回路モジュールである、装置。
【請求項５】
請求項１に記載の装置であって、
前記送信回路モジュールが送信フィルタ回路モジュールである、装置。
【請求項６】
請求項１に記載の装置であって、
前記変換シーケンス発生器回路要素が、前記第２の出力に結合される入力を有する受信バッファと、前記受信バッファに結合されるシーケンスタイマーとを含む、装置。
【手続補正２】
【補正対象書類名】明細書
【補正対象項目名】発明の名称
【補正方法】変更
【補正の内容】
【発明の名称】無線モバイル装置
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
ビデオ伝送用のマルチレイヤレート制御を行うためにコンピュータが実行する方法であって、
ビデオデータをデータストレージ装置から取得する処理と、
符号化ビデオストリームに含まれる複数のレイヤに関する複数の量子化パラメータを決定する処理と、
前記符号化ビデオストリームを取得するために、ビデオサーバにおいて、前記量子化パラメータに従って前記ビデオデータを符号化する処理と、
前記符号化ビデオストリームを出力する処理と
を実行する方法。
【請求項２】
前記複数の量子化パラメータを決定する前記処理が、
前記符号化ビデオストリームのベースレイヤを選択する処理と、
前記ベースレイヤに関するビット利用フィードバックとエンハンスメントレイヤに関する別のビット利用フィードバックとを有するビット利用情報を取得する処理と、
前記ベースレイヤに関する第１のバッファと前記エンハンスメントレイヤに関する第２のバッファとに前記ビット利用フィードバックを加える処理と、
前記別のビット利用フィードバックを前記第２のバッファに加える処理と、
前記ベースレイヤに関する複数の量子化パラメータのうち最初のものと前記エンハンスメントレイヤに関する複数の量子化パラメータのうち第２のものとを決定する処理と
を有する、請求項１に記載の方法。
【請求項３】
前記符号化ビデオストリームが、分析されるべき別のレイヤを含むか否かを判断する処理と、
前記符号化ビデオストリームは、分析されるべき別のレイヤを含まない旨の判断に応じて、前記複数の量子化パラメータを出力する処理と、
前記符号化ビデオストリームは、分析されるべき別のレイヤを含む旨の判断に応じて、前記符号化ビデオストリームの次のエンハンスメントレイヤを選択する処理と
を実行する請求項２に記載の方法。
【請求項４】
前記符号化ビデオストリームを出力する前記処理が、前記符号化ビデオストリームを前記ビデオサーバと通信するクライアント装置にストリーミングする処理を有する、請求項１に記載の方法。
【請求項５】
前記符号化ビデオストリームを出力する前記処理が、前記符号化ビデオストリームを複数のバッファに出力する処理を有する、請求項１に記載の方法。
【請求項６】
前記複数のバッファが、前記符号化ビデオストリームのベースレイヤに関する第１のバッファと、前記符号化ビデオストリームの第１のエンハンスメントレイヤに関する第２のバッファと、前記符号化ビデオストリームの第２のエンハンスメントレイヤに関する第３のバッファとを有する、請求項５に記載の方法。
【請求項７】
当該方法がビット利用情報を取得する処理を実行し、前記ビット利用情報は、前記ベースレイヤに関する第１のビット利用フィードバックと、前記第１のエンハンスメントレイヤに関する第２のビット利用フィードバックと、前記第２のエンハンスメントレイヤに関する第３のビット利用フィードバックとを有する、請求項６に記載の方法。
【請求項８】
前記第１のバッファ、前記第２のバッファ及び前記第３のバッファに前記第１のビット利用フィードバックを加える処理と、
前記第２のバッファ及び前記第３のバッファに前記第２のビット利用フィードバックを加える処理と、
前記第３のバッファに前記第３のビット利用フィードバックを加える処理と、
前記第１のバッファ、前記第２のバッファ及び前記第３のバッファに基づいて前記複数の量子化パラメータのうちの第１のものを決定し、前記第２のバッファ及び前記第３のバッファに基づいて前記複数の量子化パラメータのうちの第２のものを決定し、前記第３のバッファに基づいて前記複数の量子化パラメータのうちの第３のものを決定する処理と
を実行する請求項７に記載の方法。
【請求項９】
前記符号化ビデオストリームを出力する前記処理が、前記符号化ビデオストリームをブロードキャストする処理を有する、請求項１に記載の方法。
【請求項１０】
請求項１ないし９のうち何れか１項に記載の方法を前記コンピュータに実行させるコンピュータプログラム。
【請求項１１】
コンピュータ可読命令を有するコンピュータ記憶媒体であって、前記コンピュータ可読命令は、コンピュータにより実行される場合に、前記コンピュータに、
ビデオデータをデータストレージ装置から取得すること、
前記コンピュータにおいて、前記ビデオデータを符号化し、符号化ビデオストリームを取得すること、
前記符号化ビデオストリームをバッファに出力すること、
前記符号化ビデオストリームのベースレイヤを選択すること、
前記ベースレイヤに関する第１のビット利用情報と前記符号化ビデオストリームのエンハンスメントレイヤに関する第２のビット利用情報とを有するビット利用フィードバックを取得すること、
前記ベースレイヤに関する第１のバッファと前記エンハンスメントレイヤに関する第２のバッファとに前記第１のビット利用情報を加えること、
第２のビット利用フィードバックを前記第２のバッファに加えること、
前記第１のバッファ及び前記第２のバッファに基づいて、前記ベースレイヤの第１の量子化パラメータを決定し、前記第２のバッファに基づいて、第１のエンハンスメントレイヤの第２の量子化パラメータを決定すること、及び
前記コンピュータにおいて、量子化パラメータに従って前記ビデオデータを符号化すること
を実行させる、コンピュータ記憶媒体。
【手続補正２】
【補正対象書類名】明細書
【補正対象項目名】０００３
【補正方法】変更
【補正の内容】
【０００３】
更に、スケーラブルビデオは、異なるクラスの装置に対するテレビ会議及び/又はその他のアプリケーションにしばしば使用され、異なるクラスの装置は、様々なダウンリンク及び/又はアップリンク帯域幅の能力又は性能を有する。従って、従来のレート制御手段を利用することは、受信機の帯域幅の制約に対処するために、様々なビットストリームの品質劣化を招き、ひいてはユーザ全員の品質劣化を招いてしまう。例えば、ビデオサーバが2つの受信機にビデオを提供する場合において、一方が300Kbpsの帯域幅を有し、他方が500Kbpsの帯域幅を有している場合、ビデオサーバは、300Kbpsでエンコードされるベースレイヤと200Kbpsでエンコードされるエンハンスメントレイヤとをスケーラブルビデオストリームが有するように、ビデオをエンコードする。ベースレイヤが目標の300Kbps未満でエンコードされる場合、ビデオサーバに関連するレートコントローラは不十分又は不完全であるので、全体的なストリームの品質劣化を招き、第2の受信機に利用可能な帯域幅を最大化することが困難になってしまう。この例の場合、ベースレイヤが280kbpsを下回る場合、第2の装置で受信可能な最大ストリームは480Kbpsとなり、これは利用可能な帯域幅を使い切っておらず、理想的なユーザの体感品質に及ばないことが懸念される。従って、スケーラブルビデオに対して従来のレート制御手段を適用すること、及び/又はマルチレイヤビデオストリームの各レイヤにレート制御手段を別々に適用することは、様々なビットストリームに不利に影響し、ビデオストリームの品質を劣化させてしまうおそれがある。
上記及び他の検討事項に関し、実施の形態を説明する。
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
ビデオデータを符号化するための方法であって、前記方法は、
Ｂスライス中のコード化単位（ＣＵ）を１つ以上の予測単位（ＰＵ）に区分することと、
前記ＣＵの少なくとも１つのＰＵに対して、
前記ＰＵのための動きベクトル（ＭＶ）候補リストを生成することと、
前記ＰＵに対する前記ＭＶ候補リスト中の双方向ＭＶ候補を単方向ＭＶ候補に変換することと、
前記ＭＶ候補リスト中の選択されたＭＶ候補を決定することと、ここにおいて前記選択されたＭＶ候補が単方向ＭＶ候補である、
前記単方向ＭＶ候補を前記ＰＵに割当てることと、
前記選択されたＭＶ候補によって指定された動き情報によって示された１つ以上の参照ブロックに少なくとも部分的に基づいて及び次のブロックためのマージ候補リスト構成又は高度動きベクトル予測（ＡＶＭＰ）候補リスト構成のために前記ＰＵに割当てられた前記単方向ＭＶ候補を用いて、前記ＰＵのための予測ビデオブロックを生成することと
を備える、方法。
【請求項２】
ビデオデータを復号するための方法であって、前記方法は、
Ｂスライス中のコード化単位（ＣＵ）を１つ以上の予測単位（ＰＵ）に区分することと、
前記ＣＵの少なくとも１つのＰＵに対して、
前記ＰＵのための動きベクトル（ＭＶ）候補リストを生成することと、
前記ＰＵに対する前記ＭＶ候補リスト中の双方向ＭＶ候補を単方向ＭＶ候補に変換することと、
前記ＭＶ候補リスト中の選択されたＭＶ候補を決定することと、ここにおいて前記選択されたＭＶ候補が前記単方向ＭＶ候補である、
前記単方向ＭＶ候補を前記ＰＵに割当てることと、
前記選択されたＭＶ候補によって指定された動き情報によって示された１つ以上の参照ブロックに少なくとも部分的に基づいて及び次のブロックためのマージ候補リスト構成又は高度動きベクトル予測（ＡＶＭＰ）候補リスト構成のために前記ＰＵに割当てられた前記単方向ＭＶ候補を用いて、前記ＰＵのための予測ビデオブロックを生成することと
を備える、方法。
【請求項３】
前記双方向ＭＶ候補を前記単方向ＭＶ候補に変換することは条件に従ってＰＵレベルで切り替え可能である、請求項１又は２に記載の方法。
【請求項４】
前記ＰＵのための前記ＭＶ候補リスト中の各双方向ＭＶ候補を単方向ＭＶ候補に変換することを更に備える、請求項１又は２に記載の方法。
【請求項５】
前記双方向ＭＶ候補を前記単方向ＭＶ候補に変換することは、前記ＣＵが最小コード化単位（ＳＣＵ）サイズに等しいサイズを有すると決定したことに応答して、前記双方向ＭＶ候補を前記単方向ＭＶ候補に変換することを備える、請求項１又は２に記載の方法。
【請求項６】
前記ＣＵが第１のＣＵであり、前記方法は、
第２のＣＵのＰＵのためのＭＶ候補リストを生成することと、
前記第２のＣＵが２Ｎ×２Ｎ、２Ｎ×Ｎ、又はＮ×２Ｎ区分モードに従ってＰＵに区分されるか、又は前記第２のＣＵの前記ＰＵの動き情報が高度動きベクトル予測（ＡＭＶＰ）モードで信号伝達されると決定したことに応答して、前記第２のＣＵの前記ＰＵのための前記ＭＶ候補リスト中の双方向ＭＶ候補を第２の単方向ＭＶ候補に変換することと、
前記第２のＣＵの前記ＰＵのための前記ＭＶ候補リスト中の選択されたＭＶ候補を決定することと、
前記第２のＣＵの前記ＰＵのための前記ＭＶ候補リスト中の前記選択されたＭＶ候補によって指定された動き情報によって示された１つ以上の参照ブロックに少なくとも部分的に基づいて、前記第２のＣＵの前記ＰＵのための予測ビデオブロックを生成することと
を更に備える、請求項１又は２に記載の方法。
【請求項７】
前記双方向ＭＶ候補を変換することは、前記ＰＵの動き情報がＡＭＶＰモードを使用して信号伝達されるときのみ、前記双方向ＭＶ候補を前記単方向ＭＶ候補に変換することを備える、請求項１に記載の方法。
【請求項８】
前記ＰＵの予測ビデオブロックに少なくとも部分的に基づいて符号化ビデオデータを出力することを更に備える、請求項１又は２に記載の方法。
【請求項９】
前記方法がモバイルコンピュータ機器上で実行される、請求項１又は２に記載の方法。
【請求項１０】
前記双方向ＭＶ候補が第１の双方向ＭＶ候補であり、前記単方向ＭＶ候補が第１の単方向ＭＶ候補であり、
前記ＭＶ候補リストを生成することは、前記ＭＶ候補リスト中の第２の双方向ＭＶ候補が、等しい動きベクトルを有し、リスト０及びリスト１中の同じ参照ピクチャを示すと決定したことに応答して、前記第２の双方向ＭＶ候補を第２の単方向ＭＶ候補に変換することを備え、
前記ＰＵのための予測ビデオブロックを生成するために動き補償中に双方向から単方向への変換が実行されず、
前記ＰＵが、別のビデオブロックをコード化するための動きベクトル候補ブロックとして使用されるとき、前記ＰＵは、双方向動き情報の代わりに単方向動き情報を有する、
請求項１に記載の方法。
【請求項１１】
Ｂスライス中のコード化単位（ＣＵ）を１つ以上の予測単位（ＰＵ）に区分する手段と、
前記ＣＵの少なくとも１つのＰＵに対して、
前記ＰＵのための動きベクトル（ＭＶ）候補リストを生成するための手段と、
前記ＰＵのための前記ＭＶ候補リスト中の双方向ＭＶ候補を単方向ＭＶ候補に変換するための手段と、
前記ＭＶ候補リスト中の選択されたＭＶ候補を決定するための手段と、ここにおいて前記選択されたＭＶ候補は前記単方向ＭＶ候補である、
前記単方向ＭＶ候補を前記ＰＵに割当てるための手段と、
前記選択されたＭＶ候補によって指定された動き情報によって示された１つ以上の参照ブロックに少なくとも部分的に基づいて及び次のブロックためのマージ候補リスト構成又は高度動きベクトル予測（ＡＶＭＰ）候補リスト構成のために前記ＰＵに割当てられた前記単方向ＭＶ候補を用いて、前記ＰＵのための予測ビデオブロックを生成するための手段と
を備える、ビデオ符号化装置。
【請求項１２】
Ｂスライス中のコード化単位（ＣＵ）を１つ以上の予測単位（ＰＵ）に区分するための手段と、
前記ＣＵの少なくとも１つのＰＵに対して、
前記ＰＵのための動きベクトル（ＭＶ）候補リストを生成するための手段と、
前記ＰＵに対する前記ＭＶ候補リスト中の双方向ＭＶ候補を単方向ＭＶ候補に変換するための手段と、
前記ＭＶ候補リスト中の選択されたＭＶ候補を決定するための手段と、ここにおいて前記選択されたＭＶ候補は前記単方向ＭＶ候補である、
前記単方向ＭＶ候補を前記ＰＵに割当てるための手段と、
前記選択されたＭＶ候補によって指定された動き情報によって示された１つ以上の参照ブロックに少なくとも部分的に基づいて及び次のブロックためのマージ候補リスト構成又は高度動きベクトル予測（ＡＶＭＰ）候補リスト構成のために前記ＰＵに割当てられた前記単方向ＭＶ候補を用いて、前記ＰＵのための予測ビデオブロックを生成するための手段と、を備える、ビデオ復号装置。
【請求項１３】
実行されたとき１つ以上のプロセッサに請求項１〜１０のいずれか１つに記載の方法を実行させる命令を記憶する１つ以上のコンピュータ可読記憶媒体。